(57)【要約】【課題】肛門からの腸内ガスの拡散を防ぎ、短時間で脱臭が可能である脱臭具であり、また、人体に使用した時、違和感や不快感の少ない脱臭具を提供する。【解決手段】通気性がなく、ガス透過率の低いプラスチックフィルムを熱溶着により貼りあわせた薄い、開口部１ａを備えたパック１の開口部１ａを肛門に合わせ、開口部１ａ周辺に備えた両面テープ７を肛門周辺に貼り付ける。それにより、肛門からの腸内ガスの拡散を防ぐことができる。パック１の他に、脱臭ユニット２が存在し、両者は通気が可能な塩化ビニールチューブ３でつながれている。腸内ガスがパック１に入り、次に塩化ビニールチューブ３を通り活性炭が入っている脱臭ユニット２へ到達すると、腸内ガスの臭気は活性炭に吸着され脱臭される。【選択図】図１
2016221194.tif 000002
【特許請求の範囲】
【請求項１】
貼付が可能な開口部を備えたパックと、パックに接続されたチューブと、チューブ末端へ設置された脱臭剤を内包する脱臭ユニットを有することを特徴とするガス脱臭具。
【請求項２】
パック内に脱臭剤を有ぜず、パックに接続されたチューブ末端の脱臭ユニット内に脱臭剤を有する請求項１のガス脱臭具。
【請求項３】
前述の脱臭ユニット内の脱臭剤は脱臭ユニット内で両側からフィルターで挟まれ固定された、請求項いずれかのガス脱臭具。
【請求項４】
前述のパックと脱臭ユニットの間は接続されているチューブを介し気体の行き来が可能な請求項いずれかのガス脱臭具。
【請求項５】
パックからチューブを介し送気されたガスが、請求項３の脱臭剤を通過するエアフローを有する、請求項いずれかのガス脱臭具。
【発明の詳細な説明】
【技術分野】
【０００１】  本発明は、ガス脱臭具に関し、より詳細には、ヒト又はそれ以外の動物の腸内発生ガスを脱臭するために好適に用いることができるガス脱臭具に関する。
【背景技術】
【０００２】  特許文献１においては、「混雑した車内やエレベーター等の中における放屁による臭気や音声の発生を消滅又は減少させる放屁対策の製品を安価に提供する」（特許文献１の要約の課題）ためになされたものであり、具体的には「柔軟質繊維シートからなる肌当て部材１の一方の面に少なくとも一端部から長さの半分の範囲を非透過シート部材５で覆い、周囲を貼り合わせて袋部５ａとし、この中に脱臭材７を収納したものからなる。肌当て部材１の他方の面における外周部に、所定幅で付着させてあるとともに剥離紙３ａで覆われた粘着材３で放屁口を取り囲むように、地肌の要所に貼り付けることにより装着する。放屁ガスは肌当て部材１を透過し、脱臭材７中を通過して開口部５ｂから放出する構成にしてあるため、臭気及び音声は脱臭材７に吸収されて外部に影響を及ぼすおそれをなくする。」（特許文献１の要約の解決手段）という放屁対策パッドが開示されている。
【先行技術文献】
【特許文献】
【０００３】
【特許文献１】  実用新案登録第３１３０２２０号公報（例えば、要約、考案の詳細な説明中の段落番号０００１〜０００８、第１図等）
【０００４】
【非特許文献１】  なし
【発明の概要】
【発明が解決しようとする課題】
【０００５】  例えば、公衆の場において大勢の前で腸内ガスを出せば、周囲の大勢は不快になる。腸内ガスを出した当人も羞恥心を抱き、その場に滞在することや、その場で活動、他者との交流を行い辛くなる場合がある。その為、従来からの脱臭方法として、特許文献１やトイレ用脱臭剤、空気清浄機などによる脱臭方法がある。しかし、腸内ガスが出た時にトイレ用脱臭剤や空気清浄機を使用すると周囲の目を引き、使用した当人は著しい羞恥心を抱くと思われる。その為、人が大勢集まる場所での使用は現実的ではない。特許文献１は肛門周辺に脱臭剤を備えた画期的な放屁対策パッドであるが、肛門へ装着し座位の姿勢をとるとパッドの厚みにより肛門に圧がかかる。この圧により不快感が生じ、長時間の座位が困難になるのではないかとの推測もある。これらの課題を解決する為、本案では特許文献１のパッドの厚みを薄くした、装着時に肛門へ圧が少ないコンパクトな腸内ガス脱臭方法を提供する。
【課題を解決するための手段】
【０００６】  本案の脱臭具は、２枚の通気性がなく、ガス透過率の低いプラスチックフィルムを熱溶着により貼りあわせた薄いパックと、パックに接続された塩化ビニールチューブとチューブ末端に設置された脱臭ユニットで構成される。【０００７】  前述のパックには開口部があり、その開口部周囲へ両面テープが設置されている。開口部を肛門へ合わせ、両面テープを肛門周囲へ貼付することにより、肛門から腸内ガスが放出された時に、腸内ガスはパック開口部からパック内へ溜まる。溜まった腸内ガスはパックに接続されている塩化ビニールチューブを通って移動し、その末端に取り付けられた脱臭ユニットへ入る。脱臭ユニットへ入った腸内ガスは、脱臭ユニット内の活性炭により脱臭される。【０００８】  本案のパックは薄く、装着時に違和感が少ないことを特徴とする。また、肛門から放出された腸内ガスをパック内へ留め拡散を防ぎ、パックへ接続された塩化ビニールチューブを通り脱臭ユニット内を通過し脱臭されることも特徴とする。【０００９】  本案のパックと脱臭ユニットはそれぞれ離れた場所に配置される。その間は塩化ビニールチューブにより繋がれていることを特徴とする。
【発明の効果】
【００１０】  本案の脱臭具は、前述のパック内に腸内ガスが溜まり、その溜まった腸内ガスは塩化ビニールチューブを通り、脱臭ユニット内へ入り、そのユニット内の活性炭により脱臭される。【００１１】  前述のように、活性炭を肛門から遠ざけて配置することで本案のパックへ脱臭材を配置する必要はなく、パックは薄いものにできる。その為、パックを肛門へ貼付した時、パックによる肛門への違和感を少なくできる。
【図面の簡単な説明】
【００１２】
【図１】本案の脱臭具の斜視図である。
【図２】本案の脱臭具の斜視図である。Ａ−Ａ断面の線を図示している。
【図３】図２のＡ−Ａ断面である。
【図４】本案の脱臭具の斜視図である。Ｂ−Ｂ断面の線を図示している。
【図５】図４のＢ−Ｂ断面である。
【図６】本案の脱臭具のエアフローである。
【図７】本案のパック１の製作方法である。
【図８】本案の脱臭ユニット２の製作方法である
【発明を実施するための形態】
【００１３】  以下、本発明の実施の形態を図面を参照して説明する。しかしながら、これらによって本発明は何ら制限されるものではない。
【００１４】  図７は本案のパック１の製作方法である。通気性がなく、ガス透過率の低いプラスチックフィルム４と５の寸法は長辺１２０ｍｍ、短辺７０ｍｍである。プラスチックフィルム５の中は長方形に切り抜かれている。切り抜かれた長方形の寸法は短辺３５ｍｍ、長辺４０ｍｍである。切り抜かれた長方形の短辺、はプラスチックフィルム５の長辺と平行である。切り抜かれた長方形の長辺はプラスチックフィルム５の短辺と平行である。切り抜かれた長方形はプラスチックフィルム５の長辺と片方の短辺から１５ｍｍ内側に位置する。両面テープ７は細胞毒性・感作性（アレルギー反応）・刺激性が十分に低いことが確認された材料を使用しており、具体的には３Ｍ医療用両面テープの製品番号１５２２を加工したものを用いてもよい。両面テープ７の外辺の寸法であるが、短辺は７０ｍｍ、長辺は７５ｍｍである。両面テープ７の中は長方形に切り抜かれている。両面テープ７の切り抜かれた長方形の寸法は短辺３５ｍｍ、長辺４０ｍｍである。両面テープ７の切り抜かれた長方形の短辺、は両面テープ７の長辺と平行である。両面テープ７の切り抜かれた長方形の長辺は両面テープ７短辺と平行である。両面テープ７の切り抜かれた長方形は両面テープ７の長辺と片方の短辺から１５ｍｍ内側に位置する。両面テープ７の片側の粘着面をプラスティクフィルム５の片面に貼り付ける。その時、両面テープ７の切り抜かれた長方形とプラスチックフィルム５の切り抜かれた長方形の長辺、短辺同士が合わさるように、貼り付ける。プラスチックフィルム５に貼り付けた反対側の両面テープ７の面へ、流動性、粘着性のある人体に無害なものを塗布してもよい。
【００１５】  図７のプラスチックフィルム４に直径１．５ｍｍの穴１ｂがある。穴１ｂはプラスチックフィルム４の両長辺の中央の線上にあり、短辺から３０ｍｍ中央に位置する。その穴１ｂへ直径３ｍｍ内径２ｍｍの塩化ビニールチューブ３を通す。塩化ビニールチューブ３の全長は２００ｍｍである。塩化ビニールチューブ３の全長は１０ｍｍ〜４０ｍｍの範囲で変更してもよい。穴１ｂへ通した塩化ビニールチューブ３と穴１ｂの接点へ接着剤を図３の接着剤６、接着剤１４のように塗布し、腸内ガスが接点から漏れないようにする。接着剤６、接着剤１４は通気性のない、ガス透過率の低い接着剤をである。具体的には、コニシ株式会社「コニシ  ウルトラ多用途ＳＵプレミアムソフト」の品番「＃０５１４１」を用いてもよい。接着剤１４の上へシールなどを貼り塩化ビニールチューブ３を固定してもよい。
【００１６】  図７の塩化ビニールチューブ３が接続されたプラスチックフィルム４と、両面テープ７が貼り付けられたプラスチックフィルム５を、短辺、長辺を合わせて、貼り合わせ、端部を熱溶着する。この時、熱溶着専用の機器であるシーラーを使用してもよい。強度を高める為に外周の熱用着の場所から５ｍｍ、１０ｍｍ内側へ同様の熱用着を繰り返し行ってもよい。パック１の端部の密閉が保たれるのであれば、熱溶着以外の方法で貼り付けてもよい。熱用着後、見栄えを整える為、プラスチックフィルム５および４の角を丸めたり、面取り加工を行ってもよい。
【００１７】  図８は脱臭ユニット２の製作方法である。脱臭ユニット２は図１のパック１に接続されている塩化ビニールチューブ３の末端へ付けられている脱臭を行うユニットである。図８の通気性のない、ガス透過率の低い硬いプラスチックの中空の円柱８の寸法であるが、外径１０ｍｍ、長さ５０ｍｍ、２箇所の内径の肉厚側の内径は２．５ｍｍ、肉薄側の内径は７．８ｍｍ、肉厚側の内径の円柱方向の長さは１８ｍｍ、肉薄側の内径の円柱方向の長さは３４ｍｍである。中空の円柱８の外周はテーパー状であってもよい。内径部もテーパー状であってもよい。図５のように、中空の円柱８の肉厚側の中空へ塩化ビニールチューブ３を挿入し、塩化ビニールチューブ３と中空の円柱８とを固定する為と、接続部から臭気が漏れないよう接着剤１５を中空の肉厚部へ図５のように充填する。接着剤１５は通気性のない、ガス透過率の低い接着剤をである。具体的には、コニシ株式会社「コニシ  ウルトラ多用途ＳＵプレミアムソフト」の品番「＃０５１４１」を用いてもよい。
【００１８】  図８のリング１０は硬いプラスチックの中空の円柱であり、寸法は外径６ｍｍ、内径４ｍｍ、長さ１ｍｍである。リング１０の外径は７．８〜６ｍｍの範囲で変更してもよい。長さは１〜３ｍｍの範囲で変更してもよい。リング１０はリング１０の円柱方向から、円柱８の肉薄側から入り、円柱８の中空の肉厚部で止まる。フィルター１１とフィルター９の材質は、ポリプロピレン不織布であり、寸法は、直径８ｍｍ、厚さ１ｍｍである。具体的には。東洋物産工業株式会社の塵挨簡易マスクＮＯ．１５００用取替えフィルターを直径８ｍｍに切り取ったものでもよい。また、活性炭１２を通過させないフィルター機能をもつものであれば、代用してよい。フィルター１１はフィルター１１の円の面から、円柱８の肉薄側から入り、前述のリング１０により止まる。活性炭１２は０．１ｍｍ〜０．５ｍｍに破砕された孟宗竹の活性炭である。活性炭１２を０．４ｇ、円柱８の肉薄側から入れる。スポンジ１３は円柱状でありの材質はポリウレタンフォームである。スポンジ１３の寸法は外径８ｍｍ、長さは３０ｍｍである。長さは３０ｍｍ〜１０ｍｍで変更してもよい。代用品を使用する場合は、クッション弾性、伸縮性、優れた通気性を有するものであれば代用してもよい。スポンジ１３をスポンジ１３の円の面から、円柱８の肉薄側から入れ、先に入れた活性炭１２へ押し当てる。次にフィルター９をフィルター９の円の面から、円柱８の肉薄側から入れスポンジ１３へ押し当てる。フィルター９を押し当てたまま、スポンジ１３を伸縮させ、フィルター９の円の面が図５のように円柱８の肉薄側の端に揃うようにする。その状態を保ち、テープ１６をフィルター９と円柱８へ貼り付け、フィルター９を円柱８へ固定する。テープ１６の材質はポリプロピレンであり、寸法は幅１ｍｍ、長さ３０ｍｍである。テープ１６の材質はフィルター９を円柱８へ固定できる強度と粘着を有するものであれば変更してよい。寸法は、幅１ｍｍ〜５ｍｍ、長さ３０ｍｍ〜１００ｍｍの範囲で寸法を変更してよい。また、テープを２枚使い、フィルター９の円の面を完全に塞がないように貼り付け、フィルター９と円柱８を固定してもよい。
【００１９】  図６は本案のエアフローである。パック１の開口部１ａを肛門の位置に合わせ、パック１の両面テープ７を肛門周辺へ貼付する。これにより、肛門から放出された腸内ガスを、図６の開口部１ａの矢印の通り、パック１内へ誘導できる。本案のエアフローであるが、腸内ガスは開口部１ａからパック１内へ入ると、パック１内を通り、接続されている塩化ビニールチューブ３を通り、脱臭ユニット２へ送気される。脱臭ユニット２へ送気された腸内ガスは脱臭ユニット２の中の活性炭１２により脱臭され脱臭ユニット２から排気される。
【符号の説明】
【００２０】  １ａ    パック１の開口部
１ｂ    プラスチックフィルム４の穴
１      パック
２      脱臭ユニット
３      塩化ビニールチューブ
４      プラスチックフィルム
５      プラスチックフィルム
６      接着剤
７      両面テープ
８      中空の円柱
９      フィルター
１０    リング
１１    フィルター
１２    活性炭
１３    スポンジ
１４    接着剤
１５    接着剤
１６    テープ
【図１】
2016221194.tif 000003
【図２】
2016221194.tif 000004
【図３】
2016221194.tif 000005
【図４】
2016221194.tif 000006
【図５】
2016221194.tif 000007
【図６】
2016221194.tif 000008
【図７】
2016221194.tif 000009
【図８】
2016221194.tif 000010